(57)【要約】【課題】ワイヤハーネスの分岐部を保護するプロテクタで、固定箇所が少なく、固定作業を容易化できるプロテクタを提供する。【解決手段】ワイヤハーネス１０の分岐部１４を保護するプロテクタ２０であって、分岐部１４の両側で幹線部１２を覆う筒状保護部材２１、２２と、幹線部１２および枝線部１３に沿って筒状保護部材２１、２２の間に跨る板状保護部材２３と、分岐部１４の両側で板状保護部材２３から幹線径方向の一方側に突出する結束部材２４、２５と、を備え、板状保護部材２３が、分岐部１４の両側で結束部材２４、２５をそれぞれ抜け止め係止するロック部２６、２７を有しており、結束部材２４、２５の先端部２４ｂ、２５ｂがロック部２６、２７によりそれぞれ抜け止め係止される状態で、筒状保護部材２１、２２が分岐部１４の両側の幹線部１２に締付け固定されるとともに、板状保護部材２３が分岐部１４に対して所定姿勢に固定される。【選択図】図３
2018042390.tif 000002
【特許請求の範囲】
【請求項１】
ワイヤハーネスの幹線から枝線が出る分岐部を保護するプロテクタであって、
前記幹線の長さ方向における前記分岐部の両側で前記幹線を覆う一方および他方の筒状保護部材と、
前記分岐部付近の前記幹線および前記枝線に沿って前記一方および他方の筒状保護部材の間に跨る板状保護部材と、
前記幹線の長さ方向における前記分岐部の両側で前記板状保護部材の片面から前記幹線の径方向の一方側に突出するようそれぞれ基端側で前記板状保護部材に結合された一方および他方の結束部材と、を備え、
前記板状保護部材が、前記幹線の長さ方向における前記分岐部の両側で前記一方および他方の結束部材の先端部をそれぞれ抜け止め係止する一方および他方のロック部を有しており、
前記一方および他方の結束部材の先端部が前記一方および他方のロック部によりそれぞれ抜け止め係止される状態で、前記一方および他方の筒状保護部材が前記分岐部の両側の前記幹線に締付け固定されるとともに、前記板状保護部材が前記分岐部に対して該分岐部を保護する所定姿勢に固定されることを特徴とするプロテクタ。
【請求項２】
前記一方および他方の結束部材が、それぞれの前記基端側で前記板状保護部材に一体に結合された可撓性バンドによって構成されていることを特徴とする請求項１に記載のプロテクタ。
【請求項３】
前記板状保護部材と前記一方および他方の結束部材とがそれぞれ同種の合成樹脂で構成されていることを特徴とする請求項１または２に記載のプロテクタ。
【請求項４】
請求項１ないし３のいずれか一項に記載のプロテクタが装着された前記分岐部を有するプロテクタ付きのワイヤハーネス。
【発明の詳細な説明】
【技術分野】
【０００１】
本発明は、プロテクタおよびワイヤハーネスに関し、特にワイヤハーネスの幹線から枝線が出る分岐部付近を保護するプロテクタおよびそれを備えたワイヤハーネスに関する。
【背景技術】
【０００２】
従来、車両用のワイヤハーネスにおいては、電線を保護するために筒状保護部材であるコルゲートチューブ等が多用されているが、その場合、ワイヤハーネスの幹線から枝線が出る分岐部付近には、分岐部の保護機能を有するプロテクタが使用されることが多い。
【０００３】
従来のこの種のプロテクタとしては、例えば分岐部の両側に跨る幹線側保護プレートと、枝線に沿って延びる枝線側保護プレートと、枝線側保護プレートを幹線側保護プレートに連結する可撓性連結部材とを備え、分岐部の両側のコルゲートチューブに対して幹線側保護プレートの両端部をテープ巻き固定するとともに、枝線部を覆うコルゲートチューブに対して枝線側保護プレートをテープ巻き固定するものが知られている（例えば、特許文献１参照）。
【０００４】
また、ワイヤハーネスのＴ字状の分岐部の幹線および枝線を挟むプロテクタの両側挟持部の少なくとも幹線側部分の外面に凸部または凹部からなるコルゲートチューブ用のガイド部を設け、スリット付きコルゲートチューブの分割エッジをそれぞれ前記ガイド部に添わせて、コルゲートチューブを移動させながら幹線に外装できるようにしたものも知られている（例えば、特許文献２参照）。
【先行技術文献】
【特許文献】
【０００５】
【特許文献１】特開２０１６−１４０２２６号公報
【特許文献２】特開２０１２−２１００４３号公報
【発明の概要】
【発明が解決しようとする課題】
【０００６】
しかしながら、上記従来のプロテクタおよびワイヤハーネスにあっては、分岐部の両側のコルゲートチューブに対してプロテクタの幹線側部分の両端部をテープ巻き固定し、さらに、枝線部を覆うコルゲートチューブに対してプロテクタの枝線側部分をテープ巻き固定する必要があり、プロテクタの固定に手間がかかるという問題があった。
【０００７】
これに対し、例えば図５に示すように、ワイヤハーネスＨ１の幹線Ｈ１ａから枝線Ｈ１ｂが出る分岐部Ｈ１ｃに沿って、両側のコルゲートチューブ１、２に跨る平板状の保護プレート３を設け、この保護プレート３に対し粘着性の結束テープ４によるいわゆるクロステープ巻き固定を行うことで、テープ巻き固定箇所を削減することが考えられる。
【０００８】
しかし、このようにテープ巻き固定部の数を減らしたとしても、ワイヤハーネスＨ１の分岐部Ｈ１ｃと保護プレート３を同時に把持した状態で、分岐部Ｈ１ｃの両側のコルゲートチューブ１、２に対して平板状の保護プレート３を交差する２方向に重ねてテープ巻き固定しなければならず、そのテープ巻き固定作業が難作業になってしまうという問題があった。
【０００９】
そこで、本発明は、ワイヤハーネスの分岐部を保護するプロテクタであってワイヤハーネス側への固定箇所が少なく、かつ、その固定作業を容易化できるプロテクタおよびそれを備えた外装作業性の良いワイヤハーネスを提供することを目的とする。
【課題を解決するための手段】
【００１０】
本発明に係るプロテクタは、上記目的達成のため、ワイヤハーネスの幹線から枝線が出る分岐部を保護するプロテクタであって、前記幹線の長さ方向における前記分岐部の両側で前記幹線を覆う一方および他方の筒状保護部材と、前記分岐部付近の前記幹線および前記枝線に沿って前記一方および他方の筒状保護部材の間に跨る板状保護部材と、前記幹線の長さ方向における前記分岐部の両側で前記板状保護部材の片面から前記幹線の径方向の一方側に突出するようそれぞれ基端側で前記板状保護部材に結合された一方および他方の結束部材と、を備え、前記板状保護部材が、前記幹線の長さ方向における前記分岐部の両側で前記一方および他方の結束部材の先端部をそれぞれ抜け止め係止する一方および他方のロック部を有しており、前記一方および他方の結束部材の先端部が前記一方および他方のロック部によりそれぞれ抜け止め係止される状態で、前記一方および他方の筒状保護部材が前記分岐部の両側の前記幹線に締付け固定されるとともに、前記板状保護部材が前記分岐部に対して該分岐部を保護する所定姿勢に固定されることを特徴とする。
【００１１】
この構成により、一方および他方の結束部材が一方および他方のロック部によりそれぞれ抜け止め係止されるとき、一方および他方の筒状保護部材が分岐部の両側の幹線に締付け固定されるとともに、板状保護部材が分岐部に対して所定姿勢に固定される。したがって、ワイヤハーネス側への固定箇所が一方および他方の結束部材による２箇所と少なく、しかも、その固定作業を容易化できる。
【００１２】
本発明のプロテクタは、前記一方および他方の結束部材が、それぞれの前記基端側で前記板状保護部材に一体に結合された可撓性バンドによって構成されているものでもよい。
【００１３】
本発明のプロテクタは、前記板状保護部材と前記一方および他方の結束部材とがそれぞれ同種の合成樹脂で構成されているものであってもよい。
【００１４】
本発明に係るワイヤハーネスは、上記のいずれかのプロテクタが装着された前記分岐部を有するプロテクタ付きのワイヤハーネスである。
【００１５】
この構成により、一方および他方の結束部材が一方および他方のロック部によりそれぞれ抜け止め係止されるとき、一方および他方の筒状保護部材が分岐部の両側の幹線に締付け固定されるとともに、板状保護部材が分岐部に対して所定姿勢に固定される。したがって、電線側へのプロテクタの固定箇所が一方および他方の結束部材による２箇所と少なく、しかも、その固定作業を容易化できるワイヤハーネスとなる。
【発明の効果】
【００１６】
本発明によれば、ワイヤハーネスの分岐部を保護するプロテクタであってワイヤハーネス側への固定箇所が少なく、かつ、その固定作業を容易化できるプロテクタおよびそれを備えたワイヤハーネスを提供することができる。
【図面の簡単な説明】
【００１７】
【図１】本発明の一実施の形態に係るプロテクタにおける板状保護部材とそれに一体結合された一方および他方の結束部材とを示す要部斜視図である。
【図２】本発明の一実施の形態に係るプロテクタにおける一方および他方の筒状保護部材が分岐部の両側の幹線に装着された半製品状態のワイヤハーネスの要部正面図である。
【図３】本発明の一実施の形態に係るプロテクタ付きのワイヤハーネスの要部正面図である。
【図４】図３のＩＶ−ＩＶ矢視断面図である。
【図５】従来技術に対しテープ固定箇所を削減できるものの未解決の課題を内包する比較例のプロテクタ付きワイヤハーネスの要部正面図である。
【発明を実施するための形態】
【００１８】
以下、本発明を実施するための形態について図面を参照して説明する。
【００１９】
（一実施の形態）
図１ないし図４に本発明の一実施の形態に係るプロテクタおよびそれが装着されたプロテクタ付きワイヤハーネスを示している。
【００２０】
図３および図４に分岐構成部分を拡大して示す本実施形態のワイヤハーネス１０は、例えば複数の電線１１に図示しない複数の接続端子を装着して図示しないコネクタに挿入したものであり、車両に搭載される電装機器をその電源や制御機器等に接続できるように構成されている。
【００２１】
図２に示すように、このワイヤハーネス１０は、それぞれ絶縁被覆された複数本の電線１１によって構成された幹線部１２と、その幹線部１２から軸交差する方向に向かって分岐して出た枝線部１３とを含んで構成されており、幹線部１２から枝線部１３が分岐して出る分岐部１４を有している。
【００２２】
複数の電線１１は、詳細を図示しないが、それぞれの芯線を可撓性のチューブ状の被覆で囲繞したものであり、その芯線は、例えば円形より線で構成され、被覆は、例えばポリ塩化ビニルまたはポリエチレン等を主体とする合成樹脂により形成されている。
【００２３】
幹線部１２は、例えば図２および図３中の左右方向に真直に延びる電線１１と、両図中の左側から分岐部１４内に延びるとともに分岐部１４内で幹線部１２側から枝線部１３側に屈曲した電線１１と、分岐部１４内で枝線部１３側から幹線部１２側に屈曲するとともに分岐部１４内から両図中の右側に延びる電線１１とのうち少なくともの２種類の複数の電線１１によって構成されている。
【００２４】
枝線部１３は、例えば図２および図３中の左端側から分岐部１４内に延びるとともに分岐部１４内で幹線部１２側から枝線部１３側へと両図中上側に屈曲した電線１１と、両図中の上端側から分岐部１４内に延びるとともに分岐部１４内で両図中の右側に延びる電線１１とのうち少なくともの１種類の複数の電線１１によって構成されている。
【００２５】
そして、これら幹線部１２および枝線部１３を構成するそれぞれ複数の電線１１が粘着性の結束テープ１５等によって結束されている。
【００２６】
図３に示すように、ワイヤハーネス１０の幹線部１２および分岐部１４には、合成樹脂製のプロテクタ２０が装着されている。
【００２７】
図１ないし図４に示すように、このプロテクタ２０は、例えばコルゲートチューブで構成される可撓性の一方および他方の筒状保護部材２１、２２の対向する端部付近と、分岐部１４の片面側に位置する略長方形の平板状の板状保護部材２３と、一方および他方の筒状保護部材２１、２２に対応して設けられこれら筒状保護部材２１、２２を幹線部１２上に結束固定することができる弾性または可撓性の一方および他方の結束部材２４、２５とを含んで構成されている。
【００２８】
一方および他方の筒状保護部材２１、２２は、幹線部１２の長さ方向における分岐部１４の両側で幹線部１２を覆っており、互いに幹線部１２の長さ方向に所定間隙ｇを隔てている。
【００２９】
図３に示すように、板状保護部材２３は、例えば略長方形の平板状に形成され、分岐部１４付近の幹線部１２および枝線部１３に沿って、一方および他方の筒状保護部材２１、２２の間に跨るとともに、分岐部１４を車体パネル側となる片側から覆っている。したがって、幹線部１２の長さ方向における板状保護部材２３の長さＬは、一方および他方の筒状保護部材２１、２２の間の所定間隙ｇより大きく、幹線部１２の径方向における板状保護部材２３の幅Ｗは、幹線部１２の外径より大きくなっている。
【００３０】
図１、図３および図４に示すように、一方および他方の結束部材２４、２５は、幹線部１２の長さ方向における分岐部１４の両側であって板状保護部材２３の一辺２３ｃ側に配置され、板状保護部材２３の電線側（以下、内側という）の片面２３ａから幹線部１２の径方向の一方側（図４中の左向き方向）に帯状もしくは紐状に突出している。
【００３１】
これら一方および他方の結束部材２４、２５は、板状保護部材２３と一体に成型されることで、それぞれの基端部２４ａ、２５ａ側で板状保護部材２３に一体に結合されている。ただし、一方および他方の結束部材２４、２５は、板状保護部材２３と別体に成型された後、それぞれの基端部２４ａ、２５ａ側で公知のいずれかの結合方法により板状保護部材２３に一体に結合されたものであってもよい。
【００３２】
板状保護部材２３は、また、幹線部１２の長さ方向における分岐部１４の両側であって板状保護部材２３の前記一辺２３ｃ側とは反対の辺２３ｄ側に、一方および他方の結束部材２４、２５の先端部２４ｂ、２５ｂをそれぞれ可能に挿入することができ、挿入された深さ位置で抜け止め係止することができる一方および他方のロック部２６、２７を有している。
【００３３】
そして、一方および他方の結束部材２４、２５の先端部２４ｂ、２５ｂが一方および他方のロック部２６、２７によりそれぞれ抜け止め係止される状態で、一方および他方の筒状保護部材２１、２２が分岐部１４の両側の幹線部１２に締付け固定されるとともに、板状保護部材２３が分岐部１４に対して、その分岐部１４を片面側から保護する所定姿勢に固定されるようになっている。
【００３４】
なお、一方および他方のロック部２６、２７による一方および他方の結束部材２４、２５の結束係止用の凹凸形状部分２４ｃ、２５ｃの抜け止め係止構造は、従来の各種の結束バンドに採用されるものと同様であり、ここでは詳細な説明を割愛する。
【００３５】
一方および他方の結束部材２４、２５は、具体的には、それぞれの基端部２４ａ、２５ａ側で板状保護部材２３に一体に結合された可撓性バンドとして構成されている。
【００３６】
また、板状保護部材２３と一方および他方の結束部材２４、２５とは、それぞれ同種の合成樹脂、例えばポリプロピレンやナイロン樹脂等の合成樹脂により形成されている。
【００３７】
さらに、一方および他方の結束部材２４、２５は、例えば筒状保護部材２１、２２を幹線部１２上に結束固定する結束時に内周面または外周面となる片面側、例えば内周面側に、セレーション状（鋸刃状）の結束係止用の凹凸形状部分２４ｃ、２５ｃ（図１および図４参照）を有しており、その先端部２４ｂ、２５ｂ側で小幅および薄肉になっている。そして、一方および他方の結束部材２４、２５がそれらの先端部２４ｂ、２５ｂ側から一方および他方のロック部２６、２７に挿入されて、それぞれ抜け止め係止されている。
【００３８】
一方および他方のロック部２６、２７内に挿入された一方および他方の結束部材２４、２５の先端部２４ｂ、２５ｂの近傍は、板状保護部材２３の外側の片面２３ｂからの突出高さを所定値以下に制限するように切断されている。また、その切断前に一方および他方の結束部材２４、２５の突出部分を板状保護部材２３に対して一方および他方の筒状保護部材２１、２２の締付け側に引き出す等することで、一方および他方の筒状保護部材２１、２２が分岐部１４の両側の幹線部１２に締付け固定されるとともに、板状保護部材２３が分岐部１４に対して図３および図４に示すような所定姿勢に固定されている。
【００３９】
本実施形態におけるプロテクタ２０の板状保護部材２３は、ワイヤハーネス１０の分岐部１４を図外の車体パネル側から保護する保護プレートとなっており、一方および他方の筒状保護部材２１、２２によって覆われていない分岐部１４と車体パネルの間に介在することで、分岐部１４を車体パネル側のバリや他の突起物から保護する機能を発揮するようになっている。
【００４０】
次に、作用について説明する。
【００４１】
上述のように構成された本実施の形態のプロテクタ２０およびプロテクタ付きワイヤハーネス１０においては、一方および他方の結束部材２４、２５の先端部２４ｂ、２５ｂが一方および他方のロック部２６、２７に挿入され、一方および他方の結束部材２４、２５が一方および他方の筒状保護部材２１、２２に対し締付け操作された後、一方および他方のロック部２６、２７により抜け止め係止される。
【００４２】
そして、このとき、板状保護部材２３と重なる軸方向範囲に位置する一方および他方の筒状保護部材２１、２２の端部付近が、分岐部１４の両側の幹線部１２に対し一方および他方の結束部材２４、２５による締付け状態で固定されるとともに、一方および他方の結束部材２４、２５と一体の板状保護部材２３が、分岐部１４に対してその分岐部１４を車体パネル側のバリや突起物から的確に保護可能な所定姿勢に固定される。
【００４３】
したがって、ワイヤハーネス１０の電線束側への固定箇所が一方および他方の結束部材２４、２５による２箇所と少なくて済み、しかも、その固定作業を一方および他方の結束部材２４、２５の締付け程度の作業に容易化できるプロテクタ２０となる。
【００４４】
しかも、本実施形態では、一方および他方の結束部材２４、２５が、それぞれの基端部２４ａ、２５ａ側で板状保護部材２３に一体に結合された可撓性バンドによって構成されているので、一方および他方の結束部材２４、２５の結束作業性が良い。
【００４５】
さらに、本実施形態では、板状保護部材２３と一方および他方の結束部材２４、２５とがそれぞれ同種の合成樹脂で構成されているので、一方および他方の結束部材２４、２５を板状保護部材２３と一体に成型してコスト低減を図ることができる。
【００４６】
本実施形態のプロテクタ２０が装着された分岐部１４を有するワイヤハーネス１０は、複数の電線１１を含む電線束側へのプロテクタ２０の固定箇所が一方および他方の結束部材２４、２５による２箇所と少なく、しかも、その固定作業を容易化できるものとなる。
【００４７】
このように、本実施形態においては、ワイヤハーネス１０の分岐部１４を保護するプロテクタ２０であってそのワイヤハーネス１０側への固定箇所が少なく、かつ、その固定作業を容易化できるプロテクタ２０を提供することができ、そのプロテクタ２０を分岐部１４に装着した外装作業性の良いワイヤハーネス１０を提供することができる。
【００４８】
なお、上述の一実施の形態では、板状保護部材２３は、一定厚さの平板状としたが、枝線部１３に近接する板状保護部材２３の分岐側端縁部分を薄肉にして柔軟性を高めたり、電線束の外周面形状に応じて適度に湾曲した板状保護部材となっていたりしてもよい。
【００４９】
また、上述の一実施の形態では、一方および他方の結束部材２４、２５は、それぞれ板状保護部材２３から直線的に突出する自由形状としたが、予め結束時の湾曲形状に近い湾曲形状に成型され、基端部２４ａ、２５ａにおける結束時の曲げ角度が抑えられるものであってもよい。
【００５０】
さらに、上述の一実施の形態では、一方および他方の結束部材２４、２５は、それぞれ１本ずつで構成されているが、基端部２４ａ、２５ａ側でそれぞれ複数本に分かれていてもよい。その場合も、一方および他方の結束部材２４、２５の先端部２４ｂ、２５ｂ側は、２箇所でのロックとするのがよい。
【００５１】
また、上述の一実施の形態では、一方および他方の結束部材２４、２５の基端部２４ａ、２５ａと一方および他方のロック部２６、２７とが、板状保護部材２３の一辺２３ｃ側とは反対の辺２３ｄ側とに離して配置されているが、双方が一辺２３ｃ側にあるいは反対の辺２３ｄ側に近接配置されてもよく、その場合、一方および他方の結束部材２４、２５の基端部２４ａ、２５ａの板状保護部材２３からの突出方向と一方および他方のロック部２６、２７に対する一方および他方の結束部材２４、２５の先端部２４ｂ、２５ｂの挿入方向とが一実施の形態のように略平行なものでなくてもよい。例えば、一方および他方の結束部材２４、２５の基端部２４ａ、２５ａの板状保護部材２３からの突出方向が板状保護部材２３の板面方向に対し垂直であるのに対して、一方および他方のロック部２６、２７に対する一方および他方の結束部材２４、２５の先端部２４ｂ、２５ｂの挿入方向が、板状保護部材２３の板面方向であってもよい。
【００５２】
以上説明したように、本発明は、ワイヤハーネスの分岐部を保護するプロテクタであってワイヤハーネス側への固定箇所が少なく、かつ、その固定作業を容易化できるプロテクタおよびそれを備えたワイヤハーネスを提供することができるものであり、ワイヤハーネスの幹線から枝線が出る分岐部付近を保護するプロテクタおよびそれを備えたワイヤハーネス全般に有用である。
【符号の説明】
【００５３】
１０  ワイヤハーネス
１１  電線（電線束）
１２  幹線部（幹線）
１３  枝線部（枝線）
１４  分岐部
２０  プロテクタ
２１、２２  筒状保護部材
２３  板状保護部材
２３ａ  電線側の片面（内側の片面）
２３ｂ  外側の片面
２４、２５  結束部材
２４ａ、２５ａ  基端部
２４ｂ、２５ｂ  先端部
２４ｃ、２５ｃ  凹凸形状部分
２６、２７  ロック部
【図１】
2018042390.tif 000003
【図２】
2018042390.tif 000004
【図３】
2018042390.tif 000005
【図４】
2018042390.tif 000006
【図５】
2018042390.tif 000007